(57)【要約】【課題】利用者側に向かって鏡を移動させて至近距離での利用を可能にするとともに、移動の前後において鏡の高さを略一定に保つことのできるミラーキャビネットを提供する。【解決手段】キャビネット本体１１の前部中央に位置する中央フレーム２０に主鏡１２が回転可能に支持され、中央フレーム２０の左右両側に位置するサイドフレーム３０にサイドミラー１３が回転可能に支持されている。中央フレーム２０とサイドフレーム３０は、相対回転可能に連結されており、サイドフレーム３０の上下外方端側に設けられた軸３９がキャビネット本体１１に設けられたガイドレール４１に沿って移動可能に支持されている。中央フレーム２０を手前側に引くように操作力を付与することで、中央フレーム２０とサイドフレーム３０が相対回転して屈曲し、主鏡１２が略同一高さ位置を保持した状態で前方に迫り出す。【選択図】図３
2007130391.tif 000002
【特許請求の範囲】
【請求項１】
キャビネット本体の前部中央に鏡を配置したミラーキャビネットにおいて、
前記鏡を支持する中央フレームと、当該中央フレームに相対回転可能に連結された左右一対のサイド部材と、前記中央フレームとサイド部材との相対回転を許容するように各サイド部材をそれぞれ支持するガイドとを備え、
前記中央フレームとサイド部材とを相対回転させて屈曲させることで、前記中央フレームと鏡が略同一高さ位置を保持して前方に迫り出すことを特徴とするミラーキャビネット。
【請求項２】
キャビネット本体の前部中央に配置された主鏡と、この主鏡の左右両側に配置された一対のサイドミラーとを備えたミラーキャビネットにおいて、
前記主鏡を開閉可能に支持する中央フレームと、当該中央フレームに相対回転可能に連結されるとともに、前記サイドミラーを開閉可能に支持する左右一対のサイドフレームと、前記中央フレームとサイドフレームとの相対回転を許容するように前記サイドフレームをそれぞれ支持するガイドとを備え、
前記中央フレームとサイドフレームとを相対回転させて屈曲させることで、前記中央フレーム及び主鏡が略同一高さ位置を保持して前方に迫り出すことを特徴とするミラーキャビネット。
【請求項３】
前記サイドミラーは、前記主鏡側を中心として回転可能に設けられて当該主鏡と共に三面鏡を形成することを特徴とする請求項２記載のミラーキャビネット。
【請求項４】
前記ガイドは、上下対称位置に設けられたガイドレールにより構成され、これらガイドレールにサイドフレームの外方端側が移動可能に支持されていることを特徴とする請求項２又は３記載のミラーキャビネット。
【発明の詳細な説明】
【技術分野】
【０００１】
本発明はミラーキャビネットに係り、更に詳しくは、鏡を前方に移動させることのできるミラーキャビネットに関する。
【背景技術】
【０００２】
洗面室等に設置されるミラーキャビネットは、内部に収納部が設けられたキャビネット本体と、当該キャビネット本体の前部に配置された鏡とを備えて構成されている。このようなミラーキャビネットは、洗面ボールを備えたベースキャビネットとの一体型としたときに、鏡の位置は洗面ボールの後部上方となる。従って、鏡を至近距離で利用しようとする場合には、洗面ボールの奥行き幅に対応して無理な姿勢となりがちな前屈姿勢をとらなければならない等の不都合を招来する。
【０００３】
そこで、鏡を前方に移動可能に設けて前屈姿勢をとることなく鏡を至近距離で見ることのできるミラーキャビネットが提案されている（例えば、特許文献１参照）。
【０００４】
【特許文献１】特開２００５−１０３０４９号公報
【発明の開示】
【発明が解決しようとする課題】
【０００５】
しかしながら、特許文献１に記載されたミラーキャビネットにあっては、前方に迫り出すように鏡の位置を移動させたときに、当該鏡の位置が初期の高さ位置に対して上方に変位する構成となっており、同一高さ位置で鏡を前方に位置させることはできないものとなっている。そのため、鏡を利用する人の身長差によって使い勝手の善し悪しを生じてしまったり、鏡の上方に吊戸棚等が設けられている場合には、鏡が上方に移動したときにはその吊戸棚等の戸の開閉が制限されてしまう等といった不都合がある。
【０００６】
［発明の目的］
本発明は、このような不都合に着目して案出されたものであり、その目的は、利用者側に向かって鏡を移動させて至近距離での利用を可能にするとともに、移動の前後において鏡の高さを略一定に保つことのできるミラーキャビネットを提供することにある。
【課題を解決するための手段】
【０００７】
前記目的を達成するため、本発明は、キャビネット本体の前部中央に鏡を配置したミラーキャビネットにおいて、
前記鏡を支持する中央フレームと、当該中央フレームに相対回転可能に連結された左右一対のサイド部材と、前記中央フレームとサイド部材との相対回転を許容するように各サイド部材をそれぞれ支持するガイドとを備え、
前記中央フレームとサイド部材とを相対回転させて屈曲させることで、前記中央フレームと鏡が略同一高さ位置を保持して前方に迫り出す、という構成を採っている。
【０００８】
また、本発明は、キャビネット本体の前部中央に配置された主鏡と、この主鏡の左右両側に配置された一対のサイドミラーとを備えたミラーキャビネットにおいて、
前記主鏡を開閉可能に支持する中央フレームと、当該中央フレームに相対回転可能に連結されるとともに、前記サイドミラーを開閉可能に支持する左右一対のサイドフレームと、前記中央フレームとサイドフレームとの相対回転を許容するように前記サイドフレームをそれぞれ支持するガイドとを備え、
前記中央フレームとサイドフレームとを相対回転させて屈曲させることで、前記中央フレーム及び主鏡が略同一高さ位置を保持して前方に迫り出す、という構成を採ることもできる。
【０００９】
本発明において、前記サイドミラーは、前記主鏡側を中心として回転可能に設けられて当該主鏡と共に三面鏡を形成するように設けることが好ましい。
【００１０】
また、前記ガイドは、上下対称位置に設けられたガイドレールにより構成され、これらガイドレールにサイドフレームの外方端側が移動可能に支持される、という構成を採ることができる。
【発明の効果】
【００１１】
本発明によれば、鏡若しくは主鏡が同一高さ位置を保持して前方に迫り出すように構成されているため、平均的に見やすい高さで鏡を利用することが可能となると共に、鏡の上方に吊戸棚等が設けられている場合であってもその扉の開閉が制限されてしまうようなこともない。
【００１２】
また、中央フレーム及びサイドフレームを設けて主鏡及びサイドミラーを支持する構成とした場合には、三面鏡として利用することが可能なミラーキャビネットを提供することができる。
【００１３】
また、左右のサイドフレームがガイドレールに移動可能に支持される構成であるため、中央フレームを引き操作して手前側に移動させようとしたとき、及び元の位置に戻すための操作力を付与したときに、その力が左右に等しく分散されるようになり、これにより、主鏡の前後移動をスムースに行うことができる。
【発明を実施するための最良の形態】
【００１４】
以下、本発明の好ましい実施の形態について、図面を参照しながら説明する。
【００１５】
図１には、本実施形態におけるミラーキャビネットの概略斜視図が示されている。この図において、ミラーキャビネット１０は、キャビネット本体１１と、当該キャビネット本体１１の前部中央に配置された主鏡１２と、この主鏡１２の左右両側に配置された一対のサイドミラー１３，１３とを備えて構成されている。
【００１６】
前記キャビネット本体１１は、洗面ボール１４を備えたベースキャビネット１５の後部上方に配置され、当該ベースキャビネットとの一体型とされている。キャビネット本体１１は、図２の分解斜視図に示されるように、中央部に位置する中央収納部１５と、この中央収納部１５の左右両側に位置する一対の外側収納部１６，１６とを備えて構成されている。
【００１７】
前記主鏡１２は、前記中央収納部１５の前端部に位置する中央フレーム２０に回転可能に支持されている。この中央フレーム２０は、左右一対の縦フレーム２１，２１と、これら縦フレーム２１，２１の上下両端間を相互に連結する上部フレーム２２及び下部フレーム２３とにより構成され、これら縦フレーム２１、上部フレーム２２及び下部フレーム２３で囲まれる内側領域に前記主鏡１２が位置するように構成されている。すなわち、主鏡１２は、その上下各縁にモール状の保持体２５，２５を備えており、これら保持体２５，２５の左端部からそれぞれ突出する軸２６，２６が前記上部フレーム２２及び下部フレーム２３の左端部前面に設けられた軸受部２７，２７に支持されている。従って、主鏡１２により中央フレーム２０の内側空間が開閉可能とされ、これにより、主鏡１２を開いた状態で中央収納部１５に対する物品の出し入れが行えるようになっている。
【００１８】
前記サイドミラー１３，１３は、中央フレーム２０の左右両側にそれぞれ連結されるサイドフレーム３０に回転可能に支持されている。サイドフレーム３０は、左右一対の外側フレーム３３及び内側フレーム３４と、これら外側フレーム３３及び内側フレーム３４の上下両端間を相互に連結する上部横フレーム３６及び下部横フレーム３７とにより構成され、内側フレーム３４の上下二箇所が中央フレーム２０における縦フレーム２１の上下二箇所に蝶番３５で連結され、これにより、サイドフレーム３０と中央フレーム２０が相対回転可能となっている。また、サイドフレーム３０の上下外方端側には突軸３９，３９が設けられており、これら突軸３９は、外側収納部１６の前端部上下対称位置に形成されたガイドとしてのガイドレール４０に受容されて当該ガイドレール４０に沿って左右方向に移動可能に設けられている。従って、中央フレーム２０及び主鏡１２は、サイドフレーム３０を介してキャビネット本体１１に支持されることとなる。
【００１９】
前記各サイドミラー１３，１３は、その上下各縁にモール状の保持部材４１，４１を備えており、これら保持部材４１、４１の内方端部からそれぞれ突出する軸４３，４３が前記上部横フレーム３６及び下部横フレーム３７の内方端側前面に設けられた軸受部４５，４５に支持され、これにより、各サイドミラー１３でサイドフレーム３０の内側空間が開閉可能とされ、サイドミラー１３を開いたときに、外側収納部１６に対して物品の出し入れが行えるようになっている。なお、各サイドミラー１３は、中央フレーム２０すなわち主鏡１２側に回転中心を有する内開き型となり、サイドミラー１３の自由端側すなわち外方端側を開いたときに主鏡１２と共に三面鏡を形成することとなる。また、各サイドミラー１３は、内開きと共に主鏡１２とは反対側となる端部側に回転中心を有する外開きが可能ないわゆる両開きとして構成しても良い。
【００２０】
次に、本実施形態におけるミラーキャビネット１０の使用方法について、図３を参照しながら説明する。
【００２１】
図３（Ａ）に示されるように、主鏡１２及びサイドミラー１３が対応する中央収納部１５及び外側収納部１６を閉塞している状態では、主鏡１２は、中央収納部１５の直前に位置することとなる。この状態において、各サイドミラー１３の外方端側を手前側に引く操作力を付与して内開きすれば、主鏡１２と共に三面鏡が形成される。
【００２２】
前記主鏡１２を利用者に近づけて利用する場合には、図３（Ｂ）に示されるように、中央フレーム２０を手前側（図中下側）に引っ張る操作力を付与すればよい。これにより、軸３９が対応するガイドレール４０に沿って相対的に接近する方向に移動しつつ左右のサイドフレーム３０が中央フレーム２０に対して相対回転し、蝶番３５位置に中央フレーム２０に対して屈曲することとなり、当該屈曲角度に応じて主鏡１２が前方に迫り出すこととなる。これにより、利用者は、主鏡１２を所望の距離に近づけて利用することができるとともに、サイドミラー３０，３０をそれぞれ開くことで三面鏡としても利用することができる（図３（Ｃ）参照）。
【００２３】
従って、このような実施形態によれば、主鏡１２が前方に迫り出すように移動しても、当該主鏡１２の高さが変化することはなく、見やすい高さに維持することが可能となる。
【００２４】
本発明を実施するための最良の構成、方法などは、以上の記載で開示されているが、本発明は、これに限定されるものではない。
すなわち、本発明は、特定の実施の形態に関して特に図示し、且つ、説明されているが、本発明の技術的思想及び目的の範囲から逸脱することなく、以上に述べた実施例に対し、形状、位置若しくは方向、その他の詳細な構成において、当業者が様々な変形を加えることができるものである。
従って、上記に開示した形状などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【００２５】
例えば、前記実施形態では、主鏡１２の左右にサイドミラー１３を配置して三面鏡としての利用が可能なミラーキャビネット１０を示したが、本発明はこれに限定されるものではない。すなわち、左右のサイドミラーは必ずしも設けることを要しない。この場合には、サイドフレームに袖扉を設けたり、或いは、サイドフレームに替えて板状体等からなるサイド部材を採用することでもよい。
【００２６】
また、前記実施形態では、ミラーキャビネット１０が洗面ボール１４を備えたベースキャビネット１５と組み合わされた一体型を図示、説明したが、ベースキャビネット１５と別体としてミラーキャビネットを単独で壁面に固定する場合も含む。
更に、前記実施形態では、主鏡１２を前方に迫り出した際に、左右幅方向において利用者の所望の角度に傾けることが可能であるが、蝶番３５の動きを左右で連動させる適宜の手段等を用いることにより、主鏡１２をキャビネット本体１１の前部中央から左右幅方向において水平に迫り出すように構成することも可能である。
【図面の簡単な説明】
【００２７】
【図１】実施形態に係るミラーキャビネットの全体構成を示す概略斜視図。
【図２】ミラーキャビネットの一部を分解した斜視図。
【図３】（Ａ）〜（Ｃ）は、ミラーキャビネットの使用要領を示す説明図。
【符号の説明】
【００２８】
１０…ミラーキャビネット、１１…キャビネット本体、１２…主鏡、１３…サイドミラー、２０…中央フレーム、３０…サイドフレーム、４１…ガイドレール（ガイド）
【図１】
2007130391.tif 000003
【図２】
2007130391.tif 000004
【図３】
2007130391.tif 000005